(57)【特許請求の範囲】
【請求項１】
コンピュータ用のマウスであって、
筐体と、
前記筐体に設けられた１以上の操作部と、
を備え、
前記筐体は、前記マウスの操作時に、少なくとも操作者の親指と人差し指を含む特定の複数の指をそれぞれ支持する複数の支持部を備え、
前記複数の支持部のうちの前記親指用の支持部は、前記マウスの操作時に、前記親指の少なくとも一部を下から支える支持面を含み、
前記１以上の操作部は、前記親指の少なくとも一部が前記支持面に支えられた状態で、前記親指と前記筐体の底面との間の前記親指よりも低く、前記支持面よりも低く、前記底面よりも高い位置に設けられた第１操作部を含み、
前記第１操作部は、ボタンを含み、
前記ボタンの押下方向は、前記筐体の前記底面に垂直な方向よりも前記底面に平行な方向に近い、
マウス。
【請求項２】
請求項１に記載のマウスであって、
前記筐体は、前記特定の複数の指が前記複数の支持部にそれぞれ支持された状態で、小指側から親指側に向かう前記底面に平行な方向に向かって最も突出した部分である頂部を有し、
前記第１操作部は、前記筐体のうちの前記頂部とは異なる部分に設けられている、
マウス。
【請求項３】
請求項２に記載のマウスであって、
前記第１操作部は、前記特定の複数の指が前記複数の支持部にそれぞれ支持された状態で、前記筐体のうちの指先側の端部と、前記頂部と、の間に設けられている、
マウス。
【請求項４】
請求項１から３のいずれかに記載のマウスであって、
前記筐体は、前記特定の複数の指が前記複数の支持部にそれぞれ支持された状態で、親指側から小指側に向かう前記底面に平行な方向に向かって凹む凹部を含み、
前記第１操作部は、前記凹部に設けられている、
マウス。
【請求項５】
請求項１から４のいずれかに記載のマウスであって、
前記筐体の表面のうち前記第１操作部を囲む部分は、前記筐体の前記底面に垂直な方向を基準として斜め下を向くように傾斜している部分を含む、
マウス。
【発明の詳細な説明】
【技術分野】
【０００１】
本明細書は、コンピュータ等に接続される入力装置であるマウスに関する。
【背景技術】
【０００２】
従来から、コンピュータ等に接続される入力装置として、マウスが用いられている。マウスは、ポインティングデバイスとも呼ばれ、ユーザは、マウスを操作することによって、位置や方向などの情報を入力できる。また、マウスには、ボタンやホイールなどの操作部が設けられ、ユーザは、操作部を操作することによって、追加の情報を入力できる。例えば、ユーザは、ボタンを押下することによって、表示装置に表示されたオブジェクト（例えば、ボタンやチェックボックスなど）を操作することができる。また、ユーザは、ホイールを回転させることによって、表示装置に表示されたページをスクロールすることができる。
【先行技術文献】
【特許文献】
【０００３】
【特許文献１】特開平８−６７２０号公報
【特許文献２】特表２００２−５０４７３２号公報
【特許文献３】実用新案登録第３１４９６１７号公報
【特許文献４】特開２００２−１４７６７号公報
【発明の概要】
【発明が解決しようとする課題】
【０００４】
ところが、マウスに設けられた操作部を指で操作する場合に、指が疲労する場合があった。また、操作部の誤操作が生じる場合があった。
【０００５】
本明細書は、疲労を緩和し、誤操作を抑制できる技術を開示する。
【課題を解決するための手段】
【０００６】
本明細書は、例えば、以下の適用例を開示する。
【０００７】
［適用例１］
コンピュータ用のマウスであって、
筐体と、
前記筐体に設けられた１以上の操作部と、
を備え、
前記筺体は、前記マウスの操作時に、少なくとも操作者の親指と人差し指を含む特定の複数の指をそれぞれ支持する複数の支持部を備え、
前記複数の支持部のうちの前記親指用の支持部は、前記マウスの操作時に、前記親指の少なくとも一部を下から支える支持面を含み、
前記１以上の操作部は、前記親指の少なくとも一部が前記支持面に支えられた状態で、前記親指と前記筐体の底面との間の前記親指よりも低く前記底面よりも高い位置に設けられた第１操作部を含む、
マウス。
【０００８】
この構成によれば、マウスの操作時には親指の少なくとも一部が支持面に下から支えられるので、親指の疲労を緩和できる。また、親指を低い位置に下ろすことによって第１操作部を操作できるので、親指の疲労を緩和できる。また、第１操作部は、親指と筐体の底面との間の親指よりも低く底面よりも高い位置に設けられているので、マウスを動かすときの第１操作部の誤操作を抑制できる。例えば、マウスを握り直す場合や、マウスを持ち上げて前後左右に移動させる場合などに、誤って第１操作部が操作されることを抑制できる。
【０００９】
［適用例２］
適用例１に記載のマウスであって、
前記筐体は、前記特定の複数の指が前記複数の支持部にそれぞれ支持された状態で、小指側から親指側に向かう方向に向かって最も突出した部分である頂部を有し、
前記第１操作部は、前記筐体のうちの前記頂部とは異なる部分に設けられている、
マウス。
【００１０】
この構成によれば、マウスが、他の物（例えば、本、キーボードなど）に意図せずに接触するような状況下において、第１操作部よりも先に頂部が他の物に接触することによって、第１操作部の誤操作を抑制できる。
【００１１】
［適用例３］
適用例２に記載のマウスであって、
前記第１操作部は、前記特定の複数の指が前記複数の支持部にそれぞれ支持された状態で、前記筐体のうちの指先側の端部と、前記頂部と、の間に設けられている、
マウス。
【００１２】
この構成によれば、親指の指先がマウスの指先側の端部と頂部との間の近傍に位置する場合に、親指は、第１操作部を容易に操作できる。
【００１３】
［適用例４］
適用例１から３のいずれかに記載のマウスであって、
前記筐体は、前記底面に平行な方向に向かって凹む凹部を含み、
前記第１操作部は、前記凹部に設けられている、
マウス。
【００１４】
この構成によれば、マウスが、他の物（例えば、本、キーボードなど）に意図せずに接触するような状況下において、第１操作部が他の物に接触すること、ひいては、第１操作部の誤操作を、抑制できる。
【００１５】
［適用例５］
適用例１から４のいずれかに記載のマウスであって、
前記第１操作部は、ボタンを含み、
前記ボタンの押下方向は、前記筐体の前記底面に垂直な方向よりも前記底面に平行な方向に近い、
マウス。
【００１６】
この構成によれば、親指を低い位置に下ろす際に、親指がボタンに接触した場合であっても、ボタンが押下されにくいので、第１操作部の誤操作を抑制できる。
【００１７】
［適用例６］
適用例１から５のいずれかに記載のマウスであって、
前記筐体の表面のうち前記第１操作部を囲む部分は、前記筐体の前記底面に垂直な方向を基準として斜め下を向くように傾斜している部分を含む、
マウス。
【００１８】
この構成によれば、筐体の底面に垂直に下方を向いてマウスを見る場合に、第１操作部のうちの筐体から外にはみ出た部分を小さくできるので、第１操作部の誤操作を抑制できる。
【００１９】
なお、本明細書に開示の技術は、種々の態様で実現することが可能であり、例えば、マウス、マウスを備えるコンピュータ、等の態様で実現することができる。
【図面の簡単な説明】
【００２０】
【図１】一実施例としてのマウス１００の斜視図である。
【図２】マウス１００の六面図である。
【図３】マウス１００の操作時の指の位置の説明図である。
【図４】第２実施例のマウス１００ｂの平面図である。
【発明を実施するための形態】
【００２１】
Ａ．第１実施例：
図１（Ａ）、図１（Ｂ）は、一実施例としてのマウス１００の斜視図を示している。このマウス１００は、コンピュータに接続されるポインティングデバイスである。マウス１００は、図示しない無線通信回路（例えば、Ｂｌｕｅｔｏｏｔｈ（登録商標）の通信回路）を備え、コンピュータと無線で接続される。なお、無線通信回路が省略されて、マウス１００とコンピュータとが有線で接続されてもよい。
【００２２】
本実施例では、マウス１００は、筐体２００と、筐体２００に設けられたボタン３１０〜３５０と回転可能なホイール３６０と、を有している。筐体２００は、例えば、樹脂で形成されている。また、図１では筐体２００の後ろに隠れているが、マウス１００の底面には、マウス１００の位置の変化を検出するＬＥＤセンサと、電源スイッチと、Ｂｌｕｅｔｏｏｔｈのペアリングを開始するためのコネクトボタンと、が設けられている。図示を省略するが、筐体２００の内には、複数個のボタンにそれぞれ対応付けられた複数個のスイッチと、ホイール３６０の回転を検出するロータリーエンコーダと、無線通信回路と、コンピュータとの通信を制御する制御部（例えば、ＡＳＩＣ（Application Specific Integrated Circuit）と、が設けられている。制御部は、コンピュータとの通信回線を通じて、各スイッチとロータリーエンコーダとＬＥＤセンサとからの信号によって表される情報を、コンピュータに供給する。
【００２３】
図２（Ａ）〜図２（Ｆ）は、マウス１００の六面図を示している。図２（Ａ）は、正面図であり、さらに、図２（Ｂ）は、底面図、図２（Ｃ）は、正面から見て右側の側面図、図２（Ｄ）は、平面図、図２（Ｅ）は、正面から見て左側の側面図、図２（Ｆ）は、背面図である。このマウス１００は、筐体２００の底面２２０を机などの台の上に載せた状態で、右手を筐体２００の上に載せて、使用することが想定されている。図２（Ａ）の正面図は、マウス１００のうちの操作時の指先側の部分を示している。
【００２４】
各図のＤＵ方向は、底面２２０に垂直に、底面２２０から、筐体２００の表面のうち底面２２０とは反対側の面（上面とも呼ぶ）を形成する上壁部２１０へ向かう方向である（以下、上方向ＤＵとも呼ぶ）。図２（Ｂ）の底面図は、上方向ＤＵを向いて見たマウス１００を示している。図２（Ｄ）の平面図は、上方向ＤＵとは反対の下方向ＤＤを向いて見たマウス１００を示している。下方向ＤＤは、底面２２０に垂直な下方向である。前方向ＤＦは、図２（Ｄ）の平面図において、マウス１００の操作時に手首から指先に向かう方向である。後方向ＤＢは、前方向ＤＦに反対の方向である。右方向ＤＲは、マウス１００の操作時に手の左側から右側に向かう方向である。左方向ＤＬは、右方向ＤＲに反対の方向である。右方向ＤＲと左方向ＤＬとは、前方向ＤＦに垂直である。また、方向ＤＦ、ＤＢ、ＤＲ、ＤＬは、上方向ＤＵに垂直である。
【００２５】
図２（Ａ）〜図２（Ｆ）に示すように、筐体２００の上壁部２１０は、図２（Ｄ）の平面図における略中央に位置する最も高い部分ＨＰから、前方向ＤＦと後方向ＤＢと右方向ＤＲと左方向ＤＬとのそれぞれに向かって徐々に低くなる曲面を形成している。図２（Ｄ）に示すように、筐体２００の上壁部２１０は、最も高い部分ＨＰから後方向ＤＢ側の部分であり掌を載せるための部分である第１部分２１１と、第１部分２１１の前方向ＤＦ側に接続され人差し指を載せるための第２部分２１２と、第１部分２１１の前方向ＤＦ側に接続され第２部分２１２の右方向ＤＲ側に位置し中指を載せるための第３部分２１３と、を含んでいる。第２部分２１２は、左ボタン３４０を形成し、第３部分２１３は、右ボタン３５０を形成している。第２部分２１２と第３部分２１３のそれぞれの下方向ＤＤ側（筐体２００の内部）には、図示しないスイッチが設けられている。第２部分２１２と第３部分２１３とは、互いに独立に、第１部分２１１に対して下方向ＤＤに向かって弾性的に変形可能である。第２部分２１２を下方向ＤＤに押下することによって、第２部分２１２の下部のスイッチを押下でき、第３部分２１３を下方向ＤＤに押下することによって、第３部分２１３の下部のスイッチを押下できる。
【００２６】
第２部分２１２と第３部分２１３との間には、ホイール３６０が設けられている。本実施例では、ホイール３６０の回転軸は、右方向ＤＲに平行である。ホイール３６０の後方向ＤＢ側には、ＤＰＩ切り替えボタン３３０が設けられている。ＤＰＩ切り替えボタン３３０を操作することによって、底面２２０（図２（Ｂ））に設けられたＬＥＤセンサ３９０によって検出される移動量（移動速度）を、所定の複数の候補の間で、切り替えることができる。例えば、ＤＰＩ切り替えボタン３３０を押下する毎に、移動量は、１０００ｄｐｉ（dot per inch）と１６００ｄｐｉとの間で、切り替えられる。
【００２７】
図２（Ｂ）に示すように、筐体２００の底面２２０には、ＬＥＤセンサ３９０と、電源スイッチ３７０と、コネクトボタン３８０と、が設けられている。
【００２８】
図２（Ａ）、図２（Ｃ）、図２（Ｄ）、図２（Ｆ）等に示すように、筐体２００の左方向ＤＬ側の部分は、下方向ＤＤ側の部分である下部２３０と、下部２３０の上方向ＤＵ側に接続された壁部２４０と、壁部２４０の上方向ＤＵ側に接続された上部２５０と、を含んでいる。図２（Ｄ）に示すように、これらの部分２３０、２４０、２５０は、筐体２００の後方向ＤＢ側の端部２６２の近傍から、筐体２００の前方向ＤＦ側の端部２５２の近傍まで、延びている。
【００２９】
壁部２４０は、図２（Ｄ）のように下方向ＤＤを向いてマウス１００を見る場合に、下部２３０および上部２５０よりも、下部２３０および上部２５０から見て筐体２００の外部から内部へ向かう方向側（ここでは、右方向ＤＲ側）の位置に形成されている。換言すれば、下方向ＤＤを向いてマウス１００を見る場合に、下部２３０および上部２５０は、壁部２４０よりも、壁部２４０から見て筐体２００の内部から外部へ向かう方向側（ここでは、左方向ＤＬ側）に突出している。図２（Ａ）、図２（Ｆ）に示すように、壁部２４０は、下部２３０から上部２５０まで、上方向ＤＵ側に向かって延びている。下部２３０と壁部２４０と上部２５０とは、右方向ＤＲに向かって凹んだ凹部２４２を形成する。本実施例では、凹部２４２は、滑らかな曲面で形成されている。マウス１００の操作時（特に、マウス１００を移動させる時）には、親指が、この凹部２４２内に配置される（詳細は、後述）。
【００３０】
下部２３０は、図２（Ｄ）のように下方向ＤＤを向いてマウス１００を見る場合に、壁部２４０から、壁部２４０から見て筐体２００の内部から外部へ向かう方向側に向かって（ここでは、左方向ＤＬに向かって）延びた部分であり、底面２２０の左方向ＤＬ側の一部分を形成している。図２（Ｄ）に示す平面図において、下部２３０は、外に向かって凸な形状の部分である頂部２３４を形成している。図２（Ｄ）中の方向Ｄｘは、この平面図において、筐体２００の長さＬ（すなわち、外径）が最大Ｌｍａｘとなるような方向である（長手方向Ｄｘとも呼ぶ）。頂部２３４は、筐体２００のうちの、長手方向Ｄｘに垂直に左方向ＤＬ側に向かう方向Ｄｙに向かって最も突出した部分である。なお、本実施例では、筐体２００の前方向ＤＦ側の端部２５２のうち、第２部分２１２によって形成される部分は、第３部分２１３によって形成される部分よりも、前方向ＤＦ側に位置している。従って、長手方向Ｄｘは、後方向ＤＢ側の端部２６２のうちの最も後方向ＤＢ側の部分から、前方向ＤＦ側の端部２５２のうちの第２部分２１２によって形成される部分に向かう方向である。そして、長手方向Ｄｘは、ホイール３６０の回転軸に垂直な前方向ＤＦに対して、斜めに傾斜している。ただし、長手方向Ｄｘが、前方向ＤＦと平行となるように、筐体２００の形状が構成されていてもよい。
【００３１】
下部２３０のうち、筐体２００の前方向ＤＦ側の端部２５２と、頂部２３４と、の間に、ボタン３１０、３２０が配置されている。具体的には、下部２３０の縁部２３２の外面のうちの左方向ＤＬ側を向いた部分である側面２３２ｓに、ボタン３１０、３２０が設けられている。なお、下部２３０の縁部２３２は、図２（Ｄ）の平面図において、下部２３０のうち、下部２３０から見て筐体２００の内部から外部へ向かう方向側（ここでは、左方向ＤＬ側）の縁の部分である。そして、下部２３０の側面２３２ｓは、この外部へ向かう方向側の外面である。
【００３２】
本実施例では、第２ボタン３２０は、第１ボタン３１０の後方向ＤＢ側に配置されている。これらのボタン３１０、３２０は、親指によって操作される。第１ボタン３１０と第２ボタン３２０とのそれぞれの機能は、コンピュータの設定により変更可能であってよい。例えば、第１ボタン３１０は、進むボタンとして機能し、第２ボタン３２０は、戻るボタンとして機能してよい。
【００３３】
上部２５０は、図２（Ｄ）のように下方向ＤＤを向いてマウス１００を見る場合に、壁部２４０から、壁部２４０から見て筐体２００の内部から外部へ向かう方向側に向かって（ここでは、左方向ＤＬに向かって）延びた部分である。本実施例では、下部２３０は、上部２５０よりも、左方向ＤＬ側まで延びている。
【００３４】
図２（Ｃ）に示すように、壁部２４０には、滑り止め部２４４が設けられている。滑り止め部２４４は、指が滑ることを抑制する機能を有しており、壁部２４０のうちのマウス１００の操作時（特に、マウス１００の移動時）に指が接し得る部分の少なくとも一部に形成されている。本実施例では、滑り止め部２４４は、シリコーンで形成されている。
【００３５】
図２（Ｄ）、図２（Ｅ）に示すように、筐体２００の右方向ＤＲ側の部分は、後方向ＤＢ側の部分である後部２７０と、後部２７０の前方向ＤＦ側に設けられた壁部２８０と、壁部２８０の上方向ＤＵ側に設けられた上部２９０と、を含んでいる。後部２７０の上方向ＤＵ側の面２７２は、前方向ＤＦに向かって斜め下に下る傾斜面である（傾斜面２７２とも呼ぶ）。傾斜面２７２は、底面２２０の近傍まで延びており、また、傾斜面２７２の幅Ｗｓ（ここでは、右方向ＤＲの幅Ｗｓ）は、前方向ＤＦに向かって徐々に狭くなっている。後部２７０の右方向ＤＲ側の面２７４は、底面２２０に接続されており、底面２２０から上方向ＤＵ側に延びて傾斜面２７２に至る。マウス１００の操作時には、薬指が、この傾斜面２７２上に配置され、小指は、後部２７０の右方向ＤＲ側の面２７４の右方向ＤＲ側に配置される（詳細は、後述）。
【００３６】
壁部２８０は、底面２２０に接続されており、底面２２０から上方向ＤＵ側に延びて上部２９０に至る。上部２９０は、上壁部２１０の第３部分２１３の右方向ＤＲ側の縁の近傍に位置している。図２（Ａ）に示すように、壁部２８０は、斜め下を向くように傾斜している。下方向ＤＤを向いてマウス１００を見る場合に（図２（Ｄ））、上部２９０は、壁部２８０と比べて、壁部２８０から見て筐体２００の内部から外部へ向かう方向側（ここでは、右方向ＤＲ側）の位置に形成されている。換言すれば、上部２９０は、壁部２８０よりも、筐体２００の内部から外部へ向かう方向側（ここでは、右方向ＤＲ側）に位置している。また、壁部２８０は、後部２７０の傾斜面２７２の左方向ＤＬ側の端部にも接続されており、傾斜面２７２から上方向ＤＵ側に延びて上壁部２１０に至る。
【００３７】
図３は、マウス１００の操作時の指の位置の説明図である。図３（Ａ）は、図２（Ａ）と同様の正面図を示し、図３（Ｂ）は、図２（Ｄ）と同様の平面図を示している。図３（Ａ）では、マウス１００は、台９００の上に載せられている。図中には、マウス１００の操作時の右手ＲＨが太線で示されている。また、図中では、右手ＲＨは、透けた状態で示されている。すなわち、マウス１００のうちの右手ＲＨに隠れた部分も、図示されている。なお、図中の指Ｆ１〜Ｆ５は、親指Ｆ１と人差し指Ｆ２と中指Ｆ３と薬指Ｆ４と小指Ｆ５とを示している。
【００３８】
図示するように、親指Ｆ１は、凹部２４２内に位置し、人差し指Ｆ２は、第２部分２１２上に位置し、中指Ｆ３は、第３部分２１３上に位置し、薬指Ｆ４は、傾斜面２７２上に位置し、小指Ｆ５は、後部２７０の右方向ＤＲ側の面２７４の右方向ＤＲ側に位置している。図３（Ａ）、図３（Ｂ）の例では、小指Ｆ５は、薬指Ｆ４の右方向ＤＲ側に接している。ただし、小指Ｆ５が、薬指Ｆ４から離れていてもよい。また、図３（Ｂ）に示すように、薬指Ｆ４の指先は、壁部２８０の右方向ＤＲ側に位置している。このような指Ｆ１〜Ｆ５の位置は、マウス１００を移動させる時の配置を示している。
【００３９】
図３（Ｂ）に示すように、マウス１００の操作時に、下方向ＤＤを向いてマウス１００を見る場合に、マウス１００を操作する右手ＲＨの複数の指Ｆ１〜Ｆ５は、筐体２００の長手方向Ｄｘに交差する方向（例えば、長手方向Ｄｘに垂直な方向Ｄｙの反対方向）に沿って並んで配置されている。また、図中の方向Ｄａ〜Ｄｅは、それぞれ、指Ｆ１〜Ｆ５の延びる方向を示している。指の延びる方向は、指の根元（すなわち、手首側の部分）から指先へ向かう方向である。本実施例では、指Ｆ１〜Ｆ５の延びる方向Ｄａ〜Ｄｅは、それぞれ、長手方向Ｄｘとおおよそ平行である。このように、複数の指Ｆ１〜Ｆ５のそれぞれの延びる方向Ｄａ〜Ｄｅは、いずれも、長手方向Ｄｘに垂直な方向Ｄｙよりも、長手方向Ｄｘに近い方向である。すなわち、指の延びる方向Ｄａ〜Ｄｅと長手方向Ｄｘとがなす角度は、指の延びる方向Ｄａ〜Ｄｅと長手方向Ｄｘに垂直な方向Ｄｙとがなす角度よりも、小さい。筐体２００は、このように指Ｆ１〜Ｆ５が配置された状態で、親指Ｆ１を含む少なくとも一部の特定の複数の指Ｆ１〜Ｆ４を下から支持するように、構成されている。すなわち、筐体２００は、特定の複数の指Ｆ１〜Ｆ４のそれぞれを支持する複数の支持部を含んでいる。具体的には、凹部２４２内の親指Ｆ１を支える部分（具体的には、下部２３０）が、親指Ｆ１の支持部に相当する。第２部分２１２は、人差し指Ｆ２を支持する支持部に相当する。第３部分２１３は、中指Ｆ３を支持する支持部に相当する。傾斜面２７２は、薬指Ｆ４を支持する支持部に相当する。図３（Ｂ）に示す指Ｆ１〜Ｆ５の配置は、特定の複数の指Ｆ１〜Ｆ４が、複数の支持部２３０、２１２、２１３、２７２に、それぞれ支持された状態の配置を示している。
【００４０】
親指Ｆ１は、下部２３０の上方向ＤＵ側の外面２３６上に載っている。この外面２３６は、マウス１００の操作時に親指Ｆ１の少なくとも一部を下から支える支持面に対応する（以下、支持面２３６とも呼ぶ）。このように、親指Ｆ１の少なくとも一部が支持面２３６に下から支えられるので、親指Ｆ１の疲労を緩和できる。
【００４１】
また、図２（Ｄ）、図３（Ｂ）のように下方向ＤＤを向いてマウス１００を見る場合に、下部２３０は、壁部２４０よりも、壁部２４０から見て筐体２００の内部から外部へ向かう方向側（ここでは、小指Ｆ５から親指Ｆ１に向かう方向側。具体的には、左方向ＤＬ側）に延びた部分である。従って、下部２３０の上方向ＤＵ側の面２３６を、容易に、親指Ｆ１を支える支持面２３６として用いることができる。
【００４２】
また、ボタン３１０、３２０は、親指Ｆ１の少なくとも一部が支持面２３６に支えられた状態で、親指Ｆ１と筐体２００の底面２２０との間に配置されている。具体的には、図３（Ａ）に示すように、ボタン３１０、３２０は、親指Ｆ１よりも低く底面２２０よりも高い位置に設けられている。ユーザは、支持面２３６よりも低い位置（例えば、台９００の上）に親指Ｆ１を下ろすことによって、ボタン３１０、３２０を操作できる。図３（Ａ）、図３（Ｂ）中の点線で示された親指Ｆ１ｘは、ボタン３１０、３２０を操作する時の親指を示している。親指Ｆ１ｘは、台９００上のボタン３１０、３２０の横の位置に配置されている。この親指Ｆ１ｘの位置は、支持面２３６に支えられた状態の親指Ｆ１の位置よりも、低い。支持面２３６に支えられた状態の親指Ｆ１よりも高い位置にボタン３１０、３２０が設けられている場合とは異なり、ボタン操作のために親指を支持面２３６から上に上げた状態を維持する必要がないので、親指の疲労を緩和できる。
【００４３】
図３（Ａ）、図３（Ｂ）中の押下方向ＤＢＴは、ボタン３１０、３２０の押下方向である。親指Ｆ１ｘは、ボタン３１０、３２０をこの押下方向ＤＢＴに押すことによって、ボタン３１０、３２０を操作できる。図示するように、押下方向ＤＢＴは、底面２２０におおよそ平行であり、また、右方向ＤＲとおおよそ同じである。親指を支持面２３６上の位置からボタン３１０、３２０の近くの低い位置に下ろす際に、親指がボタン３１０、３２０に接触し得る。この時、ボタン３１０、３２０には、下方向ＤＤの力が印加される。ところが、本実施例では、上述したように、ボタン３１０、３２０の押下方向ＤＢＴは、筐体２００の底面２２０に垂直な下方向ＤＤよりも底面２２０に平行な方向（例えば右方向ＤＲ）に近い。従って、親指をボタン３１０、３２０の近くに下ろす際に親指がボタン３１０、３２０に接触した場合であっても、ボタン３１０、３２０が誤って押下されることを抑制できる。
【００４４】
また、図２（Ｄ）、図３（Ｂ）に示すように、筐体２００の底面２２０に垂直に下方向ＤＤを向いてマウス１００を見る場合に、筐体２００は、筐体２００の長手方向Ｄｘに垂直にマウス１００の操作時の小指Ｆ５側から親指Ｆ１側に向かう方向Ｄｙに向かって最も突出した部分である頂部２３４を有している。すなわち、この頂部は、図３（Ｂ）に示すように、特定の複数の指Ｆ１〜Ｆ４が、筐体２００の複数の支持部２３０、２１２、２１３、２７２に、それぞれ支持された状態で、小指Ｆ５側から親指Ｆ１側に向かう方向（例えば、方向Ｄｙ）に向かって最も突出した部分である。マウス１００は、マウス１００の近くの他の物（例えば、台９００上の図示しない本やキーボード）に意図せず接触し得る。このような状況下において、筐体２００のうちの頂部２３４は、筐体２００の他の部分と比べて、他の物に接触しやすい。ここで、ボタン３１０、３２０は、筐体２００のうちの頂部２３４とは異なる部分に設けられている。従って、頂部２３４が、ボタン３１０、３２０の代わりに他の物に接触することによって、ボタン３１０、３２０の誤操作を抑制できる。
【００４５】
また、本実施例では、ボタン３１０、３２０は、筐体２００のうちの指先側の端部２５２と、頂部２３４と、の間に設けられている（ここで、指先側は、図３（Ｂ）に示す状態の指（例えば、親指Ｆ１）を基準とする指先側である）。具体的には、ボタン３１０、３２０は、頂部２３４よりも指先側、かつ、筐体２００の指先側の端部２５２よりも頂部２３４側に設けられている。従って、親指は、容易に、ボタン３１０、３２０を操作できる。特に、本実施例では、親指Ｆ１の指先が頂部２３４よりも前方向ＤＦ側に位置するように、下部２３０と頂部２３４との形状が構成されている。従って、親指は、容易に、ボタン３１０、３２０を操作できる。
【００４６】
より具体的には、図３（Ｂ）のように下方向ＤＤを向いてマウス１００を見る場合に、ボタン３１０、３２０は、支持面２３６から見て、筐体２００の内部から外部へ向かう方向側（換言すれば、小指Ｆ５から親指Ｆ１へ向かう方向側。ここでは、左方向ＤＬ側）に配置されている。従って、親指Ｆ１を小指Ｆ５から離れる方向に移動させることによって、親指Ｆ１は、容易に、ボタン３１０、３２０を操作できる。特に、本実施例では、ボタン３１０、３２０は、下方向ＤＤを向いてマウス１００を見る場合に、筐体２００の支持面２３６を形成する下部２３０の外面のうちの、下部２３０から見て筐体２００の内部から外部へ向かう方向側（換言すれば、小指Ｆ５から親指Ｆ１へ向かう方向側。ここでは、左方向ＤＬ側）の側面２３２ｓに、設けられている。ここで、底面２２０に垂直に下方向ＤＤを向いてマウス１００を見る場合に、ボタン３１０、３２０は、筐体２００の輪郭のうち、頂部２３４よりも指先側、かつ、筐体２００の指先側の端部２５２よりも頂部２３４側の部分に設けられている。従って、図３（Ａ）、図３（Ｂ）の親指Ｆ１ｘのように、親指Ｆ１を下部２３０の外（より一般的には筐体２００の外）に移動させることによって、容易に、ボタン３１０、３２０を操作できる。
【００４７】
また、図２（Ｃ）には、囲み部分２３２ｓｓが示されている。囲み部分２３２ｓｓは、下部２３０の側面２３２ｓ（より一般的には、筐体２００の外面）のうちのボタン３１０、３２０を囲む部分である。本実施例では、筐体２００（具体的には、下部２３０）に２個の孔が設けられ、２個の孔の中にボタン３１０、３２０がそれぞれ配置されている。この場合、筐体２００の外面のうちの孔の縁を形成する部分が、囲み部分２３２ｓｓに対応する。図２（Ａ）、図３（Ａ）に示す方向Ｄ１は、囲み部分２３２ｓｓの法線方向を示している。本実施例では、この法線方向Ｄ１は、筐体２００の底面２２０に垂直な下方向ＤＤを基準として、斜め下を向いている。すなわち、囲み部分２３２ｓｓは、斜め下を向くように傾斜している。従って、図２（Ｄ）、図３（Ｂ）のように底面２２０に垂直に下方向ＤＤを向いてマウス１００を見る場合には、ボタン３１０、３２０の一部が、筐体２００の下に隠れるので、ボタン３１０、３２０のうちの筐体２００の輪郭の外にはみ出た部分を小さくできる。これにより、ボタン３１０、３２０が、指や他の物に意図せずに接触することを抑制でき、ひいては、ボタン３１０、３２０の誤操作を抑制できる。
【００４８】
また、図２（Ｄ）、図３（Ｂ）のように下方向ＤＤを向いてマウス１００を見る場合に、筐体２００の左方向ＤＬ側に設けられた上部２５０は、壁部２４０よりも、壁部２４０から見て筐体２００の内部から外部へ向かう方向側（ここでは、小指Ｆ５から親指Ｆ１に向かう方向側。具体的には、左方向ＤＬ側）に延びた部分である。この上部２５０は、支持面２３６を形成する下部２３０よりも高い位置に設けられている。図３（Ａ）、図３（Ｂ）に示すように、マウス１００の操作時には、上部２５０は、親指Ｆ１の少なくとも一部（ここでは、右方向ＤＲ側の部分）の上方を覆っている。すなわち、親指Ｆ１の少なくとも一部は、上部２５０の外（具体的には、左方向ＤＬ側）ではなく、上部２５０の下方向ＤＤ側に位置している。従って、マウス１００を大きく移動させる場合などマウス１００を持ち上げる場合には、上部２５０が親指Ｆ１に支持され得るので、マウス１００を強い力で持たなくても、マウス１００が手から落ちることを抑制できる。この結果、疲労を緩和できる。
【００４９】
また、図２（Ｄ）、図３（Ｂ）のように下方向ＤＤを向いてマウス１００を見る場合に、筐体２００の右方向ＤＲ側に設けられた上部２９０は、壁部２８０よりも、壁部２８０から見て筐体２００の内部から外部へ向かう方向側（ここでは、親指Ｆ１から小指Ｆ５に向かう方向側。具体的には、右方向ＤＲ側）に位置している。図３（Ａ）、図３（Ｂ）に示すように、マウス１００の操作時には、薬指Ｆ４のうちの壁部２８０に接触する部分は、上部２９０の右方向ＤＲ側ではなく、上部２９０の下方向ＤＤ側に位置している。すなわち、上部２９０は、薬指Ｆ４の少なくとも一部（ここでは、左方向ＤＬ側の部分）の上方向ＤＵ側に位置している。従って、マウス１００を大きく移動させる場合などマウス１００を持ち上げる場合には、上部２９０が薬指Ｆ４に支持され得るので、マウス１００を強い力で持たなくても、マウス１００が手から落ちることを抑制できる。この結果、疲労を緩和できる。特に、本実施例では、親指Ｆ１と薬指Ｆ４とでマウス１００を挟む場合に、親指Ｆ１が上部２５０を支持し得、薬指Ｆ４が上部２９０を支持し得る。従って、マウス１００を強い力で持たなくても、マウス１００が手から落ちることを適切に抑制できる。この結果、疲労を緩和できる。
【００５０】
また、図２（Ｄ）、図３（Ｂ）のように下方向ＤＤを向いてマウス１００を見る場合に、支持面２３６を形成する下部２３０は、筐体２００のうちの下部２３０の上方向ＤＵ側に設けられた部分（ここでは、壁部２４０と上部２５０）と比べて、筐体２００の外部側（ここでは、左方向ＤＬ側）まで延びている。従って、マウス１００の上方向ＤＵ側から手を下方向ＤＤに下ろして、親指Ｆ１を支持面２３６上に載せるときには、親指を下部２３０よりも左方向ＤＬ側まで移動させる必要がなく、下部２３０の上方向ＤＵ側に設けられた部分（ここでは、壁部２４０と上部２５０）よりも左方向ＤＬ側まで移動させればよい。従って、マウス１００に手を載せる際の手の疲労を緩和できる。
【００５１】
また、図２（Ｃ）で説明したように、壁部２４０のうちのマウス１００の操作時（特に、マウス１００の移動時）に親指Ｆ１が接触し得る部分の少なくとも一部には、親指が滑ることを抑制する滑り止め部２４４が形成されている。従って、マウス１００の操作時（特に、マウス１００の移動時）にマウス１００に対して親指Ｆ１が滑ることが抑制されるので、マウス１００を強い力で持たなくてもよい。この結果、疲労を緩和できる。
【００５２】
また、図２（Ａ）、図３（Ａ）に示す方向Ｄ２は、筐体２００の右方向ＤＲ側（より一般的には、小指Ｆ５側）の外面２７４のうちの底面２２０に接続される部分２７６の法線方向を示している。本実施例では、この法線方向Ｄ２は、下方向ＤＤを基準として、斜め下を向いている。すなわち、外面２７４のうち底面２２０に接続される部分２７６は、斜め下を向くように傾斜している。この傾斜した部分２７６を支点としてマウス１００を台９００上で傾けてから、マウス１００を台９００から持ち上げれば、容易にマウス１００を台９００から持ち上げることができる。このようなマウス１００の移動は、例えば、手首を台９００に接触させた状態で、マウス１００を持つ手を右方向ＤＲ側に捻ることによって、容易に実現できる。また、支点として用いられる部分２７６が、下方向ＤＤを基準として、斜め下を向いているので、底面２２０が台９００上に載った状態から、部分２７６を支点としてマウス１００が傾いて底面２２０が台９００から離れて持ち上げられた状態へ、滑らかに移行できる。この結果、マウス１００を持ち上げる際の疲労を緩和できる。
【００５３】
また、図２（Ｂ）に示すように、マウス１００は、底面２２０に設けられた操作部を有している（具体的には、電源スイッチ３７０とコネクトボタン３８０）。また、図２（Ｂ）中の輪郭線２００Ｌは、図２（Ｂ）の底面図における筐体２００の輪郭線を示している。ここで、輪郭線２００Ｌ上の位置のうち、電源スイッチ３７０に最も近い位置Ｐは、支持面２３６を形成する下部２３０の輪郭線２３０Ｌ上の位置Ｐである。このように、電源スイッチ３７０は、底面２２０のうちの親指に近い位置に配置されている。従って、図３（Ａ）、図３（Ｂ）に示すマウス１００の操作時のようにマウス１００を手に持った状態で、親指で容易に電源スイッチ３７０を操作できる。
【００５４】
Ｂ．第２実施例：
図４は、第２実施例のマウス１００ｂの平面図である。この平面図は、図２（Ｄ）の平面図と同様に、マウス１００ｂの底面２２０ｂに垂直に下方向ＤＤを向いて見たマウス１００ｂを示している。図２（Ｄ）に示す第１実施例のマウス１００との差異は、２点ある。第１の差異は、筐体２００ｂの底面に垂直に下方向ＤＤを向いてマウス１００ｂを見る場合に、支持面２３６ｂを形成する下部２３０ｂが、下部２３０ｂから見て筐体２００ｂの外部から内部へ向かう方向側（ここでは、底面２２０ｂに平行な方向側（具体的には
右方向ＤＲ側））に向かって凹む凹部２３９ｂを形成している点である。第２の差異は、ボタン３１０、３２０が、この凹部２３９ｂに設けられている点である。マウス１００ｂの他の部分の構成は、図１〜図３のマウス１００の対応する部分の構成と同じである（対応する要素と同じ要素には、同じ符号を付して、説明を省略する）。
【００５５】
図示するように、下部２３０ｂの縁部２３２ｂのうちの頂部２３４よりも前方向ＤＦ側の部分は、右方向ＤＲ側に凹む凹部２３９ｂを形成している。換言すれば、下方向ＤＤを向いてマウス１００ｂを見る場合に、筐体２００ｂの輪郭線２００ｂＬのうち凹部２３９ｂの縁を表す部分は、輪郭線２００ｂＬの内側に向かって凹んでいる。また、ボタン３１０、３２０は、この凹部２３９ｂに設けられている。従って、ボタン３１０、３２０が、他の物（例えば、本、キーボードなど）に意図せずに接触すること、ひいては、ボタン３１０、３２０の誤操作を、抑制できる。なお、本実施例では、下部２３０ｂの縁部２３２ｂの側面２３２ｂｓに、ボタン３１０、３２０が設けられている。図４の平面図において、側面２３２ｂｓは、縁部２３２ｂの外面のうち、縁部２３２ｂから見て筐体２００ｂの内部から外部へ向かう方向側（ここでは、左方向ＤＬ側）の部分である。
【００５６】
なお、本実施例においても、下部２３０ｂの上方向ＤＵ側の外面である支持面２３６ｂは、図２（Ｄ）の支持面２３６と同様に、親指の少なくとも一部を下から支える。従って、親指の疲労を緩和できる。また、図示を省略するが、下部２３０ｂの側面２３２ｂｓのうちのボタン３１０、３２０を囲む部分は、図２（Ａ）の囲み部分２３２ｓｓと同様に、斜め下を向いている。従って、第２実施例のマウス１００ｂは、第１実施例のマウス１００と同様に、ボタン３１０、３２０の誤操作を、更に抑制できる。また、ボタン３１０、３２０の押下方向は、図３（Ａ）の第１実施例と同様に、筐体２００ｂの底面２２０ｂに垂直な下方向ＤＤよりも底面２２０ｂに平行な方向（例えば右方向ＤＲ）に近い。従って、第１実施例のマウス１００と同様に、ボタン３１０、３２０の誤操作を抑制できる。
【００５７】
Ｃ．変形例：
（１）親指用の操作部としては、ボタン３１０、３２０（図２（Ｄ）））に限らず、種々の操作部を採用可能である。例えば、ホイール、タッチパネル、などの他の種類の操作部が設けられていてもよい。一般的には、親指用の操作部は、ボタンとホイールとの少なくとも一方を含むことが好ましい。
【００５８】
（２）マウスの操作時に親指の少なくとも一部を下から支える支持面（例えば、図３、図４の支持面２３６、２３６ｂ）は、曲面で形成される代わりに平面で形成されてもよく、また、曲面の部分と平面の部分との両方を含んでも良い。いずれの場合も、マウスの筐体の外面のうち、マウスの操作時（特に、マウスを移動させる時）に親指の少なくとも一部を下から支える面（特に、親指に接し得る部分）が、支持面に対応する。
【００５９】
（３）親指用の操作部の配置としては、上記各実施例での配置に代えて、他の種々の配置を採用可能である。例えば、図２（Ｄ）、図４の実施例において、ボタン３１０、３２０のいずれかが、頂部２３４に設けられていてもよい。また、図４の実施例において、ボタン３１０、３２０のいずれかが、側面２３２ｂｓのうちの凹部２３９ｂとは異なる部分に設けられていてもよい。また、親指用の操作部（例えば、ボタン３１０、３２０の少なくとも１つ）が、頂部２３４よりも後方向ＤＢ側に設けられていてもよい。この場合、下部２３０と頂部２３４との形状は、親指の指先が頂部２３４よりも後方向ＤＢ側に位置するように、構成されていてもよい。一般的には、親指用の操作部は、親指の少なくとも一部が支持面に支えられた状態で、親指と筐体の裏面との間であって親指よりも低く底面よりも高い位置に設けられていることが好ましい。ここで、筐体のうちの親指と裏面との間の部分は、図２（Ｄ）、図４のように筐体の底面に垂直に下方向ＤＤを向いてマウスを見る場合に、支持面（例えば、支持面２３６、２３６ｂ）から見て支持面よりも外側の部分に対応する。ここで、支持面から見て外側は、支持面から見て筐体の内部から外部へ向かう方向側であり、図２（Ｄ）の例では、小指から親指へ向かう方向側であり、より具体的には、左方向ＤＬ側である。
【００６０】
（４）親指用のボタンの押下方向は、筐体の底面に平行ではない他の方向であってもよい。ただし、ボタンの誤操作を抑制するためには、押下方向は、筐体の底面に垂直な方向よりも底面に平行な方向に近いことが好ましい。換言すれば、底面に平行な方向（例えば、右方向ＤＲ）と押下方向とがなす角度（角度が底面に平行な方向（例えば、右方向ＤＲ、左方向ＤＬ、前方向ＤＦ、後方向ＤＢなど）に応じて異なる場合、最小の角度）が、底面に垂直な方向（特に、下方向ＤＤ）と押下方向とがなす角度よりも、小さいことが好ましい。ただし、押下方向が、筐体の底面に平行な方向よりも筐体の底面に垂直な方向に近くてもよい。
【００６１】
（５）筐体の外面のうちの親指用の操作部を囲む囲み部分（例えば、図２（Ｃ）の囲み部分２３２ｓｓ）のうちの斜め下を向くように傾斜している部分は、囲み部分のうちの一部分であってもよい。例えば、囲み部分が、筐体の底面に垂直な部分を含んでもよく、斜め上を向くように傾斜する部分を含んでもよい。また、囲み部分が、斜め下を向くように傾斜している部分を含まずに、筐体の底面に垂直な部分と斜め上を向くように傾斜する部分との少なくとも一方で構成されていてもよい。ただし、操作部の誤操作を抑制するためには、囲み部分が、斜め下を向くように傾斜している部分を含むことが好ましい。
【００６２】
（６）図３、図４に示す実施例において、筐体２００、２００ｂの左方向ＤＬ側の上部２５０の構成としては、種々の構成を採用可能である。例えば、図２（Ｄ）、図４のように底面２２０、２２０ｂに垂直に下方向ＤＤを向いてマウス１００、１００ｂを見る場合に、上部２５０の縁が、下部２３０、２３０ｂの縁と重なっていてもよい。一般的には、マウスの操作時（特に、マウスを移動させる時）に、親指の少なくとも一部の上方向ＤＵ側に位置する部分である上部（例えば、上部２５０）が、筐体に設けられていることが好ましい。筐体の底面に垂直に下方向ＤＤを向いてマウスを見る場合に、上部の少なくとも一部は、親指の少なくとも一部に重なっている。すなわち、親指の少なくとも一部は、このような上部の下に隠れている。従って、マウスを持ち上げる場合には、上部が、親指に支持され得るので、マウスを強い力で持たなくても、マウスが手から落ちることを抑制できる。この結果、疲労を緩和できる。ただし、そのような上部が省略されてもよい。例えば、下部２３０から上方向ＤＵ側に向かって延びる壁部２４０は、底面２２０に垂直な外面を形成する部分と、斜め上を向くように傾斜する外面を形成する部分と、の少なくとも一方で構成されていてもよい。そして、そのような壁部２４０が、上壁部２１０に接続されてもよい。
【００６３】
（７）図３、図４に示す実施例において、筐体２００、２００ｂは、右方向ＤＲ側の壁部２８０と上部２９０とが薬指Ｆ４ではなく小指Ｆ５によって支持されるように、構成されていてもよい。例えば、第３部分２１３が、中指Ｆ３と薬指Ｆ４との両方を支持するための大きな部分であり、傾斜面２７２が、小指Ｆ５を支持するための部分であってもよい。このように、筐体２００、２００ｂによって下から支持される指は、マウス１００、１００ｂを操作する手の複数の指Ｆ１〜Ｆ５のうち、親指Ｆ１を含む一部の特定の複数の指（すなわち、予め決められた複数の指。例えば、４個の指Ｆ１〜Ｆ４、３個の指Ｆ１〜Ｆ３、２個の指Ｆ１、Ｆ２、など）であってもよく、全ての指Ｆ１〜Ｆ５であってもよい。一般的には、筐体は、少なくとも親指と人差し指とを含む特定の複数の指をそれぞれ支持する複数の支持部を備えることが好ましい。換言すれば、筐体は、少なくとも親指と人差し指とを含む特定のＮ個の指（Ｎは２以上、５以下の整数）をそれぞれ支持するＮ個の支持部を備えることが好ましい。また、一般的には、マウスの操作時（特に、マウスを移動させる時）に、薬指と小指との少なくとも一方の少なくとも一部の上方向ＤＵ側に位置する部分である上部（例えば、上部２９０）が、筐体に設けられていることが好ましい。筐体の底面に垂直に下方向ＤＤを向いてマウスを見る場合に、上部の少なくとも一部は、薬指と小指との少なくとも一方の少なくとも一部に重なっている。すなわち、薬指と小指との少なくとも一方の少なくとも一部は、このような上部の下に隠れる。従って、マウスを持ち上げる場合には、上部が、薬指と小指との少なくとも一方に支持され得るので、マウスを強い力で持たなくても、マウスが手から落ちることを抑制できる。この結果、疲労を緩和できる。ただし、そのような上部が省略されてもよい。例えば、底面２２０から上方向ＤＵ側に向かって延びる壁部２８０が、斜め下を向くように傾斜する外面を形成する部分を含まずに、底面２２０に対して垂直な外面を形成する部分と、斜め上を向くように傾斜する外面を形成する部分と、の少なくとも一方で構成されていてもよい。
【００６４】
（８）筐体の親指から小指へ向かう方向側の外面（例えば、図２（Ｅ）に示すような右方向ＤＲ側の外面）のうちの底面に接続される部分（例えば、図２（Ｅ）の部分２７６）のうち、斜め下を向くように傾斜する部分は、その一部分のみであってもよい。この場合も、傾斜する部分を支点としてマウスを台９００（図３（Ａ））上で傾けてから、マウスを台９００から持ち上げれば、容易にマウスを台９００から持ち上げることができる。そして、支点として用いられる部分が斜め下を向くように傾斜しているので、マウスの底面が台９００上に載った状態から、マウスが台９００上で傾いて底面が台９００から持ち上げられた状態へ、滑らかに移行できる。この結果、マウスを持ち上げる際の疲労を緩和できる。ただし、そのような斜め下を向くように傾斜する部分が、省略されてもよい。
【００６５】
（９）筐体の底面には、電源スイッチ３７０とコネクトボタン３８０とに限らず、種々の操作部を設けてよい。いずれの場合も、底面に設けられた１以上の操作部のうちの少なくとも１つの操作部である特定の操作部に関しては、図２（Ｂ）のように底面に垂直に上方向ＤＵを向いてマウスを見る場合に、筐体の輪郭線（例えば、図２（Ｂ）の輪郭線２００Ｌ）のうちその操作部に最も近い部分が、筐体のうちの親指を支える支持面を形成する部分の輪郭線（例えば、図２（Ｂ）の下部２３０の輪郭線２３０Ｌ）であるように、底面の操作部が配置されていることが好ましい。この構成によれば、マウスの操作時のようにマウスを手に持った状態で、親指で容易に特定の操作部を操作できる。
【００６６】
（１０）滑り止め部２４４（図２（Ｃ））の材料としては、シリコーンに代えて、他の種々の材料を採用可能である。例えば、シリコーンと、エラストマーと、ウレタンと、天然ゴムと、合成ゴムと、ポリウレタンと、ＥＶＡ樹脂（エチレン・酢酸ビニル共重合樹脂）と、のうちの１以上の材料を用いてもよい。また、一般的には、親指の形状に合わせて弾性変形可能な弾性材料を採用することが好ましい。また、滑り止め部２４４は、壁部２４０のうちの親指に接し得る部分の全体に設けられてもよく、代わりに、親指に接し得る部分の一部に設けられてもよい。また、滑り止め部の構成としては、壁部に対して親指が滑ることを抑制する滑り止め機能を備える任意の構成を採用可能である。ここで、滑り止め機能を備える構成としては、上記のような弾性材料で形成される構成に代えて、他の種々の構成を採用可能である。例えば、壁部のうちの親指に接触する接触部分に複数の凸部と複数の凹部との少なくとも一方を形成した構成を採用してもよい。ただし、滑り止め部を省略してもよい。
【００６７】
（１１）マウスの筐体の構成としては、上述した構成に代えて、他の種々の構成を採用可能である。一般的には、親指の少なくとも一部を下から支える支持面を形成する下部と、下部から上方向ＤＵ側に延びる壁部と、を備える種々の構成を採用可能である。ここで、壁部が下部から上方向ＤＵ側に向かって延び、そして、下部が壁部から筐体の底面に平行な方向側に向かって延びていることが好ましい。この構成によれば、下部は、親指の少なくとも一部を下から支える支持面を容易に形成できる。そして、壁部は、親指の少なくとも一部を横から支える支持面を容易に形成できる。このように、壁部と下部とは、親指を支える段を容易に形成できる。
【００６８】
（１２）マウスの構成としては、上述した構成に代えて、他の種々の構成を採用可能である。例えば、ＤＰＩ切り替えボタン３３０は、筐体の底面に設けられていてもよい。また、ホイール３６０が省略されてもよい。また、更に別の操作部（例えば、ボタン）が、マウスに追加されてもよい。
【００６９】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【００７０】
１００、１００ｂ...マウス、２００、２００ｂ...筐体、２００Ｌ、２００ｂＬ...輪郭線、２１０...上壁部、２１１...第１部分、２１２...第２部分、２１３...第３部分、２２０、２２０ｂ...底面、２３０、２３０ｂ...下部、２３０Ｌ...輪郭線、２３２、２３２ｂ...縁部、２３２ｓ...側面（外面）、２３２ｂｓ...側面（外面）、２３２ｓｓ...囲み部分、２３４...頂部、２３６、２３６ｂ...支持面（外面）、２３９ｂ...凹部、２４０...壁部、２４２...凹部、２４４...滑り止め部、２５０...上部、２５２...端部、２６２...端部、２７０...後部、２７２...傾斜面、２７４...外面、２７６...部分、２８０...壁部、２９０...上部、３１０...第１ボタン、３２０...第２ボタン、３３０...ＤＰＩ切り替えボタン、３４０...左ボタン、３５０...右ボタン、３６０...ホイール、３７０...電源スイッチ、３８０...コネクトボタン、３９０...ＬＥＤセンサ、９００...台、ＤＵ...上方向、ＤＤ...下方向、ＤＦ...前方向、ＤＢ...後方向、ＤＬ...左方向、ＤＲ...右方向、Ｄ１...法線方向、Ｄ２...法線方向、Ｆ１、Ｆ１ｘ...親指、Ｆ２...人差し指、Ｆ３...中指、Ｆ４...薬指、Ｆ５...小指、ＲＨ...右手、Ｄｘ...長手方向、Ｄｙ...方向、ＤＢＴ...押下方向
【図１】
0006666556.tif 000002
【図２】
0006666556.tif 000003
【図３】
0006666556.tif 000004
【図４】
0006666556.tif 000005